Podtech/llm-jp-corpus-v4-ja_patent huggingface dataset:
(57)【要約】      （修正有）【課題】霧化する液体の液面が下がっても、霧化効率が低下することがなく、また、種類の異なる液体を霧化したい場合、容器内の液体入れ替え時にも洗浄を不要とする霧化装置を提供する。【解決手段】外側容器１の底部に超音波振動子２が固着され、外側容器１に超音波伝達液体３が入れられ、超音波伝達液体３の中に外側容器の底部と間隔を開けて内側容器４が入れられ、この内側容器４に霧化液体５が入れられる。内側容器４の底部に固定枠６ａ、６ｂが装着され、ここにホーン７の下端の段付き部が固定され、ホーン７は中空、円錐状に構成され、下部に霧化液体５が入る連通孔７ｃが形成され、ホーン７の上部は霧化液体５が霧化された霧化粒子が噴出する噴出孔７ｄが設けられている。内側容器を霧化する液体の種類に対応した数だけ用意する。【選択図】図１
2011183246.tif 000002
【特許請求の範囲】
【請求項１】
底部に超音波振動子を固定した外側容器と、該外側容器に入れた伝達液体と、前記外側容器に所定の間隔を開けて入れた内側容器と、該内側容器に入れた霧化液体と、前記内側容器の底部に装着したホーンとからなることを特徴とする超音波霧化装置。
【請求項２】
前記ホーンは前記内側容器の底部に着脱自在に取付けたことを特徴とする請求項１記載の超音波霧化装置。
【発明の詳細な説明】
【技術分野】
【０００１】
本発明は、外側容器と内側容器の二重構造にした超音波霧化装置に関するものである。
【背景技術】
【０００２】
従来の超音波霧化装置は、霧化する液体を入れた容器の底部に超音波振動子を装着し、この超音波振動子に高周波電圧を印加することによって、霧化する液体の表面にキャピラリー波を起こして、霧化するものや、容器の内側の超音波振動子の上部にホーンを構成して、超音波流の集中化を図って霧化量を増大するものや、さらに、酸、アルカリ等の薬液を霧化するために、容器を二重にして外側容器の底部に超音波振動子を装着したものが提案されている。
【０００３】
しかしながら、従来の超音波霧化装置で、容器の内側にホーンを装着して、超音波流の集中化を計って霧化量を増大させるものにおいては、容器に直接霧化する液体を入れるため、霧化する液体の液面が下がると、霧化効率が落ちるという問題があり、又、種類の異なる液体を霧化したい場合、容器内の液体を全て入れ替えて洗浄しなけれはならないという問題があった。
【先行技術文献】
【特許文献】
【０００４】
<BR>
【特許文献１】特開２００６−２３１２９８
【発明の開示】
【発明が解決しようとする課題】
【０００５】
解決しようとする問題点は、容器に直接霧化する液体を入れるため、霧化する液体の液面が下がると、霧化効率が落ちるという問題があり、種類の異なる液体を霧化したい場合、容器内の液体を全て入れ替えて洗浄しなけれはならないという問題があった。
【課題を解決するための手段】
【０００６】
本発明は、底部に超音波振動子を固定した外側容器と、該外側容器に入れた伝達液体と、前記外側容器に所定の間隔を開けて入れた内側容器と、該内側容器に入れた霧化液体と、前記内側容器の底部に装着したホーンとからなるものであり、又、前記ホーンは前記内側容器の底部に着脱自在に取付けたものでものである。
【発明の効果】
【０００７】
本発明の超音波霧化装置では、二重槽にして内側容器の底部にホーンを装着すると、外側容器には、常に一定量の液体を入れておけばよいので、内側容器を霧化する液体の種類に対応した数だけ容易しておけばよく、又、溶液を変える度に洗浄する必要がなく、霧化量も増加し、効率よく霧化することができるという利点がある。
【図面の簡単な説明】
【０００８】
【図１】図１は本発明の実施例の超音波霧化装置の側面断面図である。
【図２】図２は本発明の実施例の超音波霧化装置のホーンの側面図である。
【図３】図３は本発明の実施例の超音波霧化装置の他のホーンの側面図である。
【発明を実施するための形態】
【０００９】
本発明では、外側容器の底部に超音波振動子を固定し、外側容器に超音波伝達液体を入れ、外側容器に所定の間隔を開けて超音波伝達液体の上に内側容器を入れ、内側容器に霧化液体を入れ、内側容器の底部にホーンを装着したものである。
【実施例】
【００１０】
図１は本発明の実施例の超音波霧化装置の断面図で、外側容器１の底部に超音波振動子２が固着され、又、外側容器１に超音波伝達液体３が入れられ、超音波伝達液体３の中に外側容器の底部と間隔を開けて内側容器４が入れられ、この内側容器４に霧化液体５が入れられ、又、内側容器４の底部に間隔を開けて、上部に突起が対向するように取り付けられた固定枠６ａ、６ｂが装着され、この固定枠６ａ、６ｂに、図２に示すように、ホーン７の下端の段付き部７ａ、７ｂが固定され、又、ホーン７は中空で、円錐状に構成され、下部に霧化液体５が入る連通孔７ｃが形成され、ホーン７の上部は霧化液体５が霧化された霧化粒子が噴出する噴出孔７ｄが設けられ、さらに、外側容器１の底部の超音波振動子２に接続される発振器８が外側容器１の下側に装着されている。
【００１１】
このように構成された本実施例の超音波霧化装置では、発振器８から発振出力が超音波振動子２に入力されると、超音波振動子２から超音波が外側容器１に入れられた伝達液体３を介して内側容器４のホーン７内の霧化液体５に照射されるので、ホーン７の連通孔７ｃから流入した霧化液体５が霧化されて、ホーン７の上部の噴出孔７ｄを通って噴出され、霧化液体５がホーン７の２／３程度までになるまで、霧化液が霧化されて霧化粒子が噴出される。
【００１２】
このように、本実施例の超音波霧化装置では、外側容器１に一定量の伝達液体を入れておけば、内側容器４の霧化液体がたとえ空になっても、空焚きになることはなく、又、内側容器４に入れる霧化液体５の数に応じて内側容器４を用意しておば、異なった霧化液体５の霧化に対応することができ、霧化液体５を取り替える度に内側容器を洗浄する必要がない。
【００１３】
又、図２では、ホーン７の下端に段付き部７ａ、７ｂを設けて固定枠６ａ、６ｂで固定しているが、図３に示すように、ホーン７の下端につば７ｅ、７ｆを形成することにより、ホーン７は内側容器４の底部の固定枠６ａ、６ｂに確実に固定するするようにしてもよい。
【産業上の利用可能性】
【００１４】
なお、上記実施例では、霧化したい霧化液体の多様化に対応でき、霧化したい場所を選ばない。
【符号の説明】
【００１５】
１            外側容器
２            超音波振動子
３            伝達液体
４            内側容器
５            霧化液体
６ａ、６ｂ    固定枠
７            ホーン
８            発振器
【図１】
2011183246.tif 000003
【図２】
2011183246.tif 000004
【図３】
2011183246.tif 000005
(57)【要約】【課題】写真撮影と鑑賞に特別なユーザー体験を与える。【解決手段】写真撮影後に撮影が完了した写真をディスプレイに表示させる。このままカメラを移動させた場合に、移動による背景画像の変化を画像処理とセンサーによって算出し、算出された位置の変化による変換と、写真撮影による変換の両方を撮影写真に行い、変換画像をディスプレイに出力することで撮影場所に撮影写真が張り付くかのような体験を与える。【選択図】図１
2011151635.tif 000002
【特許請求の範囲】
【請求項１】
カメラと映像を表示するディスプレイとを備えた情報処理装置上で動作するプログラムであって、被写体となる風景をＸ、撮影された写真をＹとする場合にＸをＹに射影変換する変換をfとし、情報処理装置の方向や位置の移動によってＸがＸ’に変化した場合に、画像比較によって求められたＸをＸ‘にする変換をgとし、前記の移動が行われた場合に、前記写真Ｙに対しては、変換Ａと変換Ｂの合成変換f(g(Y))を行うことによってＹ’を求め、前記ディスプレイに表示することを特徴とするプログラム。
【請求項２】
前記gを画像処理に加えて、地磁気センサー傾きセンサーＧＰＳ，加速度センサーのいずれかまたは複数の装置から得られる情報を利用することを特徴とする請求項１に記載のプログラム。
【請求項３】
請求項１または２に記載のプログラムを搭載した情報処理装置。
【発明の詳細な説明】
【技術分野】
【０００１】
本発明は、ＡＲ表示写真撮影のユーザーインターフェイスに関するものである。
【背景技術】
【０００２】
デジタルカメラやカメラ付き携帯電話などで写真を撮影する際には、撮影した写真は確認のためディスプレイに一定時間表示され、その後ディスプレイにはカメラからの映像だけが表示される。写真撮影だけに専念するのであればこのインターフェイスは妥当である。
【０００３】
しかし撮影した写真が空間に記憶・定位されると言うことをユーザーに印象づけるインターフェイスとしては、従来のものは十分に満足できるユーザーエクスペリエンスを与えるものであるとはいえない。
【０００４】
本発明の発明者が２００８年９月１日に出願した特許においても、本技術を実現するインターフェイスが提案されている。
しかし、その発明はデバイスのセンサーを利用するもので、センサーの誤差や精度の問題が解消しきれない問題があった。この改善策として、カメラの位置や方向の移動をカメラから得られる映像を用いてカメラの移動を検出し、撮影した写真を移動させる。この際に撮影時の変換を組み合わせて適用する。
【先行技術文献】
【特許文献】
【０００５】
【発明の概要】
【発明が解決しようとする課題】
【０００６】
解決しようとする問題点は写真撮影時のユーザーインターフェイスである。
【課題を解決するための手段】
【０００７】
本発明は、検出された移動量をそのまま撮影された写真に適応するのではなく、写真撮影時の変換を利用して撮影場所の空間にに写真が張り付き浮遊しているかのような印象をユーザーに与えるユーザーインターフェイスを提供ことを主要な特徴とする。
【発明の効果】
【０００８】
本発明のプログラムはそれが実施されるカメラ付きのデバイスを使用するユーザーに、撮影行動が案目的に備える暗黙の意味を感じさせ、従来とは全く異なったユーザーエクスペリエンスを与える。
【図面の簡単な説明】
【０００９】
【図１】図１は本発明のプログラムが稼働しているデバイスで写真撮影を行おうとしているところを示している。（実施例１）
【図２】図２は写真撮影が行われた際に撮影した画像がディスプレイに表示されている。（実施例１）
【図３】図３は撮影後にカメラ位置が移動し、撮影した画像が撮影場所に残されているかのように表示されている状態を示している。（実施例１）
【図４】図４は風景である背景Ｘ(a)がカメラによる撮影によって写真Ｙに変換され、カメラに表示されている様子を示す。
【図５】図５はカメラ本体の方向や位置が移動し、表示されている背景ＸからＸ’になった場合に、ＸをＸ’にする変換ｇとＸをＹにする変換ｆの合成変換によって写真がＹ’に変換され背景Ｘ’に重ね合わされて表示されている様子を示す。
【発明を実施するための形態】
【００１０】
スマートフォンに搭載されるアプリケーションとしての実施例を示す。
【実施例１】
【００１１】
図１は本発明のプログラムがアプリケーションとしてカメラを搭載したスマートフォン上で動作している様子を示す。この場合ここでシャッターボタンを押すと図２のように背景の写像としての撮影写真Ｙがディスプレイに表示される。この場合の背景から撮影写真Ｙへの変換はfで表される。
【００１２】
カメラの位置や方向が変わると、撮影された写真としての写像は背景ＸがＸ’に変化した場合の変換gを用いて合成変換をf(g(Y))によってＹ’になり、図３にはそのＹ’が表示されている。
【００１３】
ＸからＸ’の変換gは画像解析だけでなく、gpsや加速度センサー方向センサーなどの情報も利用することができる。
【図１】
2011151635.tif 000003
【図２】
2011151635.tif 000004
【図３】
2011151635.tif 000005
【図４】
2011151635.tif 000006
【図５】
2011151635.tif 000007
(57)【要約】      （修正有）【課題】電気通信事業者が提供する携帯電話、固定電話の通話料金定額制を利用し、ダイヤル通話料ならびにパケット通信料金を抑制し、利用者の操作性を向上させると同時に、利用者による電話帳の維持管理に関わる負荷を低減する方法を提供する。【解決手段】インターネットに接続されたウェブサーバーに作成、保管されていた電話帳の代わりに、通常の携帯電話機１に内蔵されている電話帳の１件分の短い内容をパケット通信モードによってウェブサーバー３に伝達するプログラムを携帯電話機に実装し、このプログラムにより着信先電話番号のみを電話転送装置５に送信することで送受パケット量を必要最小限に抑え、通話料金定額制を利用して電話転送装置に対して発呼し、電話転送装置はウェブサーバーから転送先電話番号を得て転送させることによりダイヤル通話料を抑制する。【選択図】図１
2011030167.tif 000002
【特許請求の範囲】
【請求項１】
発呼の直前にパケット通信により携帯電話機内蔵電話帳の宛先電話番号を通知することでウェブサーバーに電話帳データベースを構築することなく電話転送装置に宛先電話番号を通知して、音声通話を着信転送するシステム。
【発明の詳細な説明】
【発明の詳細な説明】
【技術分野】
【０００１】  本発明は携帯電話による通話に関する。
【背景技術】
【０００２】  携帯電話機から電話転送装置に電話を掛け、電話転送装置により通話したい相手の番号に電話を転送する場合、発呼者が電話転送装置に相手先電話番号をプッシュボタン押下により通知する方法と、予めウェブサーバーに発呼者用の電話帳データベースを用意し、発呼者が通話に先立ち携帯電話機からパケット通信により当該データベースを検索して相手先電話番号を選択し、電話転送装置に通知する方法がある。大多数の携帯電話機は基本機能として携帯電話機に内蔵する電話帳を有している。
【発明が解決しようとする課題】
【０００３】  ウェブサーバーに電話帳データベースを構築するためには、携帯電話機またはパーソナルコンピュータから当該ウェブサーバーにアクセスし、氏名、名称、呼称と電話番号を登録する作業が生じる。電話帳機能を内蔵した携帯電話機が広く普及しているため、電話番号の登録作業は利用者にとって重複した作業となっている。音声通話に先立って、パケット通信によりウェブサーバーにアクセスして、電話帳データベースから発呼者が通話相手先の電話番号を選択する方法では、大量のデータを送受する必要があり、多額のパケット通信料金が発生し、パケット通信に要する時間も長く、携帯電話機の表示能力が低いため、操作性が悪く、通話開始まで長時間を要する。
【課題を解決するための手段】
【０００４】  携帯電話機に、携帯電話機内蔵電話帳の電話番号を閲覧、選択し、当該電話番号をパケット通信によりウェブサーバーに短い単一のパケットで伝送するプログラムを実装する。電話転送装置は、着信転送先の電話番号をウェブサーバーから検索し、発呼者からの電話着信を転送する。
【発明を実施するための形態】
【０００５】  発呼者は、携帯電話機での音声通話に先立ち、携帯電話機に実装したプログラムを用いて、携帯電話機内蔵の電話帳を呼び出し、相手先電話番号を選択し、発信ボタンを押下するなどの方法により、通話開始の意図を示す。同プログラムは、相手先電話番号をパケット通信によりウェブサーバーに通知する（図１の▲１▼）。その後、同プログラムは、相手先電話番号に関わらず、別の予め登録された電話転送装置の電話番号に対して発呼する（図１の▲２▼）。電話転送装置は発呼者からの着信があると、発信者番号に基づいてウェブサーバーに発呼者が通話したい相手先電話番号を問い合わせ（図１の▲３▼）、その番号に着信を転送する。これにより発呼者は音声通話したい相手の固定電話または携帯電話に、電話転送装置を介して電話することができる（図１の▲４▼）。
【発明の効果】
【０００６】  発呼者が相手先電話番号を選択している間は通信が発生しないため、また、相手先電話番号をウェブサーバーに通知する際に送信するパケット長が短いため、パケット通信料を削減することできる。また、操作が通信を行っていない携帯電話機のみで実施できるため、反応時間が短く、操作性がよい。電話帳への追加や削除は携帯電話機のみで実施すればよいため、ウェブサーバーにて電話帳データベースを持つ従来の方法と比較して、電話帳の維持管理に要する利用者への負荷が低減される。
【図面の簡単な説明】
【０００７】
【図１】  携帯電話機内蔵電話帳を利用した電話転送システムの概念図である。
【符号の説明】  １は発呼者の所有する携帯電話移動機である。
２は携帯パケット通信網である。
３はウェブサーバーである。
４は携帯および固定の音声通話用の電話網である。
５は電話転送装置である。
６は発呼者が通話したい相手先の電話機である。
【図１】
2011030167.tif 000003
(57)【要約】【課題】壁等の埋め込みスピーカーを装着する際、スピーカー本体がむき出しになり、お部屋のデザインを損なう場合があった。  本発明は、埋め込みスピーカーを使用者の好みのインテリアとする取り付け・装飾方法を提供する。【解決手段】  壁等に埋め込みスピーカーを装着する際、スピーカーと壁の間にボードを挿入して、固定する。そのボードに、デジカメ等のデータをプリントしたスピーカーネットを、ボードの凹部にはめ込む。【選択図】図１
2011030170.tif 000002
【特許請求の範囲】
【請求項１】
ディスプレイボードの中央部に埋め込みスピーカー用の穴を設け、ディスプレイボードの四隅にスピーカーネットボードをはめ込む凹部グリルを設け、スピーカーネットボードに埋め込みスピーカー外径サイズの穴を設け、スピーカーネットボード裏面にディスプレイボードにはめ込む凸部グリルを設け、デザインされた音質透過生地をスピーカーネットボードにはり、以上のような構成からなるもので壁等に埋め込みスピーカーを装着する場合、ディスプレイボードを埋め込みスピーカーと壁の間に挿入し、埋め込みスピーカーのロックバーで壁といっしょに固定し、その後デジカメやスキャナ等でデータ化されたデザインをプリントした音質透過生地をスピーカーネットボードに貼ってディスプレイボードにはめ込み、ディスプレイボードを壁に固定するネジ等が不要であることを特徴とする埋め込みスピーカーの取り付け・装飾方法。
【発明の詳細な説明】
【技術分野】
【０００１】本発明は、壁や天井に使用する埋め込みスピーカーの取り付け・装飾方法に関するものである。
【背景技術】
【０００２】従来、壁や天井にスピーカーを埋め込む際、スピーカーをそのまま装着していた。
【先行技術文献】
【０００３】
【発明の概要】
【発明が解決しようとする課題】
【０００４】壁等にスピーカーを埋め込む際、スピーカー本体のデザインが露出して、お部屋のインテリアを損なう場合があった。特に奥様方からの指摘は多かった。
本発明は、以上の問題点を解決するためになされたものである。
【課題を解決するための手段】
【０００５】ディスプレイボードの中央部に埋め込みスピーカー用の穴を設ける。ディスプレイボードの四隅にスピーカーネットボードをはめ込む凹部グリルを設ける。スピーカーネットボードに埋め込みスピーカー外径サイズの穴を設ける。スピーカーネットボード裏面にディスプレイボードにはめ込む凸部グリルを設ける。デザインされた音質透過生地をスピーカーネットボードにはる。以上のような構成からなるものを壁等に埋め込みスピーカーを装着する場合は、ディスプレイボードを埋め込みスピーカーと壁の間に挿入し、埋め込みスピーカーのロックバーで壁といっしょに固定する。その後、デジカメやスキャナ等でデータ化されたデザインをプリントした音質透過生地をスピーカーネットボードに貼ってディスプレイボードにはめ込む。ディスプレイボードを壁に固定するための余計なネジ穴等は不要となる。
以上を特徴とする埋め込みスピーカーの取り付け・装飾方法である。
【発明の効果】
【０００６】従来むき出しであった埋め込みスピーカーが、本発明により使用者の感性に合うデザインとしてディスプレイされることが可能になり、お部屋のインテリアを損なうことがなくなる。
本発明は、ふところの狭い壁や天井においても挿入するボードの厚み分かさ上げする効果もあり、設置可能環境が広がる。更に、挿入された厚みのあるボードで、音質的により低音が再生できる効果もある。
【図面の簡単な説明】
【０００７】
【図１】本発明の取り付け断面図
【図２】本発明の部材・ディスプレイボードの斜視図
【図３】本発明の部材・スピーカーネットボードに音質透過生地を貼った状態を示す斜視図
【発明を実施するための形態】
【０００８】  以下、本発明の実施の形態を説明する。
（イ）ディスプレイボード（１）の中央部にスピーカー用の穴（８）を設ける
（ロ）ディスプレイボード（１）の四隅にスピーカーネットボード（２）をはめ込む凹部      グリル（３）を設ける。
（ハ）スピーカーネットボード（２）にスピーカー外径サイズの穴（９）を設ける。
（ニ）スピーカーネットボード（２）裏面にディスイプレイボード（１）にはめ込む凸部      グリル（４）を設ける。
（ホ）デザインされた音質透過生地（５）をスピーカーネットボード（２）に貼る。
本発明は以上のような構成で、これを実際に取り付ける場合は、ディスプレイボード（１）を埋め込みスピーカー（６）と壁（７）の間に挿入し、埋め込みスピーカー（６）のロックバー（１０）で壁（７）といっしょに固定する。その後、デジカメやスキャナ等でデータ化されたデザインをプリントした音質透過生地（５）をスピーカーネットボード（２）に貼ってディスプレイボード（１）にはめ込む。
【符号の説明】
【０００９】（１）ディスプレイボード，（２）スピーカーネットボード，（３）凹部グリル
（４）凸部グリル，（５）音質透過生地，（６）埋め込みスピーカー，（７）壁
（８）スピーカー用の穴，（９）スピーカー外径サイズの穴，
（１０）ロックバー
【図１】
2011030170.tif 000003
【図２】
2011030170.tif 000004
【図３】
2011030170.tif 000005
(57)【要約】【課題】構内電話交換システムでは内線番号の数に応じた電話機の導入が必要であり、着信時に着信者が不在で転送を要する場合、応答者は転送先電話番号を入力する必要がある。【解決手段】構内電話交換システムへの着信時に、発信者により送出された内線番号の如何によらず全ての電話機を鳴動させることで、内線番号の数と電話機の数を対応させる必要がなくなり、着信者不在時には同着信の切断を契機に予め登録された携帯電話機などの転送先に着信転送することで、応答者の転送先電話番号の入力作業を不要とする。【選択図】図１
2011030166.tif 000002
【特許請求の範囲】
【請求項１】
発呼の直前にパケット通信により携帯電話機内蔵電話帳の宛先電話番号を通知することでウェブサーバーに電話帳データベースを構築することなく電話転送装置に宛先電話番号を通知して、音声通話を着信転送するシステム。
【請求項２】
事業所集団電話への着信時に、着信者が不在の場合、応答者による切断を契機に予め登録された転送先に着信転送するシステム。
【発明の詳細な説明】
【発明の詳細な説明】
【技術分野】
【０００１】  本発明は構内電話交換システムに関する。
【背景技術】
【０００２】  構内電話交換システムへの着信では、発信者が構内電話交換システムからの指示により着信者の内線番号の入力を行うと、着信者に割り当てられた１台の電話機に着信し、電話機を鳴動させる。通常は内線番号の数に応じた数の電話機が設置される。着信者外出時など携帯電話などに転送する必要がある場合、応答者は通話を保留し、転送先電話番号を入力することで転送する。
【発明が解決しようとする課題】
【０００３】  従業員など内線電話の利用者に内線番号を付与する場合、内線電話の数に応じて多くの電話機を設置しなければならず、外出機会の多い従業員を多数持つ企業では浮遊設備となる。着信があった際に応答した者が本来の着信者の在席、不在を目視などで確認した後、着信者の携帯電話などに転送を行う場合、一旦は通話を保留し、転送先電話番号を入力するなどの作業を要する。
【課題を解決するための手段】
【０００４】  特定の内線番号への着信時にも全ての電話機を鳴動させ、どの電話機からでも応答することができるようにする。着信者不在時には、当該着信を切断することを契機に予め登録された転送先電話番号に通話を転送する。
【発明を実施するための形態】
【０００５】  発信者が構内電話交換転送システムに付与された外線番号をダイヤルすることで構内電話交換システムに対して電話を掛ける（図１の（１））。構内電話交換転送システムは、発信者に対して合成音声などにより、着信者個人に付与された内線番号の入力を依頼する。発信者が内線番号を入力すると、構内電話交換転送システムは、配下の内線用電話機すべてを鳴動させる（図１の（２））。応答者が任意の内線用電話機の受話器を上げると、構内電話交換転送システムは、発信者が入力した内線番号、または、内線番号に対応して予め登録された従業員氏名などを、合成音声などにより応答者に通知する。応答者は、目視などにより着信者の在席または不在を確認し、在席であれば着信者に口頭などで着信のあった旨を告げ、通話を保留する。着信者は保留された通話を内線用電話機のボタン押下などにより選択し、受話器を上げることによって発信者からの着信を任意の内線用電話機で受ける。着信者が不在の場合、応答者は単に受話器を戻すことなどにより通話を切断する。構内電話交換転送システムは、この切断を契機に予め登録された着信者の携帯電話番号などの転送先に対して着信を転送する（図１の（３））。
【発明の効果】
【０００６】  内線番号と内線用電話機との間に対応づけを行わないことにより、少数の内線用電話機を用意するだけで従業員個々に内線番号を付与した運用が可能となる。固定電話網を利用する内線用電話機の台数を抑えることで投資額を削減することができる。これにより外出の機会の多い従業員には携帯電話を携行させ、内線番号への着信は事務所に常駐する応答者から転送すれば、発信者からの着信を一旦切断してから着信者に着信のあったことを電話で知らせ、発信者に対して電話をかけるよう指示するなどの時間や手間をなくすことができる。着信者の携帯電話への通話料は電話会社が提供する料金定額制などを利用することで一定額に抑えることができる。切断を契機に転送することにより、応答者の手間や誤入力を減らし、転送までの時間を短縮することができる。
【図面の簡単な説明】
【０００７】
【図１】構内電話交換転送システムの概念図である。
【符号の説明】１は発呼者の電話機である。
２は電話網である。
３は構内電話交換転送システムである。
４は内線用電話機である。
５は転送先の電話機である。
【図１】
2011030166.tif 000003
(57)【要約】【課題】世間一般の害虫（ゴキブリ・蛾・カメムシ・ムカデ・蜂等）で対処に困っている。  それを解消するために網の設けられた袋体で、ゴム紐で掃除機に取り付け可能、吸引された害虫を安全に捕獲・駆除できる害虫駆除具を提供する。【解決手段】袋体に網を設け、開口部にワンタッチテープを設け、均等に四箇所穴を設け、四箇所の穴に鍵状の棒の付いたゴム紐を通す。掃除機ホース内に袋体を入れゴム紐で固定、害虫を吸引した後に吸引した状態でゴム紐をはずし、鍵状の棒が吸引口に引っかかりゴム紐が伸びて袋体を閉塞する。【選択図】図１
2011030549.tif 000002
【特許請求の範囲】
【請求項１】
掃除機、ホース内に取り付け可能な網の設けられた、袋体を装着。
吸引口に袋体か吸引されない為の鍵状の棒。
吸引した状態でゴム紐をはずし、吸引中棒が引っかかり、袋体が閉塞される。
【請求項２】
吸引された虫（害虫）は駆除・捕獲という形にできる。
袋体の種類（大きさ）を変えて、一般掃除機、業務用掃除機での使用可能。
【発明の詳細な説明】
【技術分野】
【０００１】本発明は、掃除機に網を着けた袋を用いて害虫（ゴキブリ・蛾・カメムシ・ムカデ・蜂等）を吸引して、その袋は掃除機に吸引されずに取り外しできるようにしたものに関する。
【背景技術】
【０００２】従来は害虫を掃除機を用いて吸引して取り外しでくる袋はなかった。
【発明の開示】
【発明が解決しようとする課題】
【０００３】害虫を退治する時は殺虫スプレー、蝿叩きを用いた構成が採用されている。その為、本発明は殺虫スプレーを使わず空気を汚さずに捕獲・駆除できるという解決すべき課題があることに着目すべきである。そこで、本発明は空気を汚さずに害虫捕獲・駆除できる発明として提供することを目的とする。
【課題を解決するための手段】
【０００４】掃除機のホース内または、掃除機本体に収納可能な大きさ（サイズ）を有し空気を通過（自由に流通）させる為の網部が設けられてなる袋体。
前記袋体の上部内側にワンタッチテープを設け、そのテープ部分に均等に四箇所、穴を設け穴に掃除機内に吸引されない為の両サイドが鍵状になった棒の付いたゴム紐を設ける。
前記、開口部を閉塞させるゴム紐部と前記、紐部に取り付けられた鍵状の棒は吸引口よりも幅が長い棒にする。
前記鍵状の棒が吸引時吸い込まれる心配はなく、吸い込まれても鍵状に設けられた棒はストッパーとして効果を発揮する、以上の形態から成る害虫駆除具としたものである。
【発明の効果】
【０００５】本発明によれば、空気を汚さず狭い所、高い所（天井等）の害虫を袋体に捕獲・駆除できるという効果がある。
【発明を実施するための最良の形態】
【０００６】本発明の実施形態を図面１、図面２を参考に説明します。
【実施例】
【０００７】請求項に対応する特有の効果を書きます。
【図面の簡単な説明】
【０００８】
【図１】本発明の横図面である。
【図２】本発明の装着図面である。
【符号の説明】
【０００９】１、袋体
２、網
３、掃除機
４、鍵状
５、棒
６、虫
７、装着
８、ホース
９、収納可能
１０、空気の通過
【図１】
2011030549.tif 000003
【図２】
2011030549.tif 000004
(57)【要約】【課題】廃棄処分される味噌や醤油粕を利用した家畜用飼料およびその製造方法を提供する。【解決手段】調味料製造工程において発生する残渣、および出荷後に残留する調味料を使用して製造される家畜用飼料であって、調味料である醤油製造時に発生する醤油粕と、製造後出荷され残留した味噌とを所定の重量比で混合し、自然乾燥する。尚、醤油粕に対する前記味噌の混合重量比は０．０１〜２００％が望ましく、さらに食品加工残渣である水分含有野菜が混合される。【選択図】        図１
2011030518.tif 000002
【特許請求の範囲】
【請求項１】
調味料製造工程において発生する残渣、および出荷後に残留する調味料を使用して製造される家畜用飼料であって、調味料である醤油の製造時に発生する醤油粕と、製造後出荷され残留した味噌とを所定の重量比で混合し、自然乾燥したことを特徴とする家畜用飼料。
【請求項２】
前記醤油粕に対する前記味噌の混合重量比は０．０１〜２００％であることを特徴とする請求項１記載の家畜用飼料。
【請求項３】
前記家畜用飼料に、さらに食品加工残渣である水分含有野菜を混合することを特徴とする請求項１に記載の家畜用飼料。
【請求項４】
調味料製造工程において発生する残渣と、出荷後に残留する調味料とを使用する家畜用飼料の製造方法であって、調味料である醤油製造時に発生する醤油粕と、製造後出荷され残留した味噌とを、攪拌装置に前記醤油粕に対する前記味噌の混合重量比を０．０１〜２００％で投入し、所定の時間攪拌することを特徴とする家畜用飼料の製造方法。
【発明の詳細な説明】
【技術分野】
【０００１】
本発明は、家畜用飼料に関し、とくに牛や豚などの家畜の飼料として良好な風味と味とを備える家畜用飼料に関するものである
【背景技術】
【０００２】
従来より、食品廃棄物を利用した家畜用の飼料が数多く提案されている。例えば醤油製造工程で大量に発生する
醤油粕は高蛋白質で粗脂肪の含有量が多く、また塩分濃度が高いことから、良質な家畜用飼料として利用されている（特許文献１参照。）。 
【０００３】
しかし、醤油粕には独特の臭いが有り、また塩分濃度が高いことから、配合飼料に添加する場合には、その使用量に制限があった。
【０００４】
また、同じく調味料である味噌を利用する技術として、可食固形物から成る担持基材に対して、利用期限を経過した再利用対象食品を混合し、この再利用対象食品を前記担持基材に担持さえ、更にこれを乾燥させて成る飼料もある（特許文献２参照。）。
【先行技術文献】
【特許文献】
【０００５】
【特許文献１】特開２００７−３０６８６１号公報
【特許文献１】特開２００９−１３６１６６号公報
【発明の開示】
【発明が解決しようとする課題】
【０００６】
しかしながら、上記特許文献１に記載されている飼料は、製造に多額の経費が係るものであり、中小の企業では大きな負担となるものであった。
【０００７】
また、特許文献２に記載された技術は、担持基材としてコーンコブやパンの破砕物が必要となり、しかも利用期限を経過した調味料を利用するために、各種の殺菌工程を必要とするという欠点があった。
【０００８】
本発明は、上記の問題点に鑑みなされたもので、醤油製造工程で発生する醤油粕と、製品の出荷後に返品された調味料である味噌を混合することによって、簡易な作業で家畜用飼料を提供するものである。
【課題を解決するための手段】
【０００９】
このため本発明の家畜用飼料及びその製造方法は、調味料製造工程において発生する残渣、および出荷後に残留する調味料を使用して製造される家畜用飼料であって、醤油製造時に発生する醤油粕と、製造後出荷され残留した味噌とを所定の重量比で混合し、自然乾燥したことを第１の特徴とする。
【００１０】
また、前記醤油粕に対する前記味噌の混合重量比は０．０１〜２００％であることを第２の特徴とする。
【００１１】
さらに、前記家畜用飼料に、さらに食品加工残渣である水分含有野菜を混合することを第３の特徴とする。
【発明の効果】
【００１２】
本発明に係る家畜用飼料によれば、産業廃棄物として大量に処分されていた、醤油粕や出荷後に残留する味噌を所定の比率で混合することで、簡易に飼料を製造できるという優れた効果を有する。
【００１３】
また、醤油粕に対する前記味噌の混合重量比は０．０１〜２００％で混合することで味噌に含まれる水分を醤油粕に吸着させることが可能となり、配合飼料などへの添加作業が容易であるという優れた効果を有する。
【００１４】
さらに、食品加工残渣である水分含有野菜が利用できるため、廃棄資源の有効活用ができるという効果がある。
【図面の簡単な説明】
【００１５】
【図１】本発明に係る家畜用飼料の製造工程の一実施例を示すフロー図である。
【発明を実施するための形態】
【００１６】
以下、本発明を実施するための最良の形態を図面に示す実施例に基づいて説明するが、本発明が本実施例に限定されないことは言うまでもない。図１は本発明に係る家畜用飼料の製造工程の一実施例を示すフロー図である。
【実施例】
【００１７】
図１は本発明の家畜用飼料の製造工程を示すフロー図である。まず醤油製造工程で発生した醤油粕と、スーパーやデパートから返品となった味噌を用意し、攪拌装置に適宜の比率で投入する（Ｓ１）。
【００１８】
この際、醤油粕の水分量は３０％、味噌の水分量は４５％であり、醤油粕に対する味噌の混合重量比を、１０％、１００％の二種で調節した。
【００１９】
次に、攪拌装置を稼動させて、５〜１０分間攪拌する（Ｓ２）。
【００２０】
攪拌装置は、加熱させる必要は無いが、短時間で攪拌を終了させるためには、適度の加熱を行なうことが望ましい。尚、攪拌後の水分量は、それぞれ３１．４％、３７．５％の水分量となった。
【００２１】
次に、攪拌装置内において自然乾燥を行い（Ｓ３）、家畜用飼料を排出する（Ｓ４）。
【００２２】
上記の製造工程で作成された家畜用飼料は、醤油粕と味噌とが適度に混合されたサラサラの状態の家畜用飼料となり、牛などの家畜用配合飼料への添加作業が容易となった。
【００２３】
また、高蛋白質で粗脂肪の含有量が多く、また塩分濃度が高い醤油粕や味噌を利用しており、牛の配合飼料への添加物としてしたところ、牛の食いつきが改善され食欲が向上した。
【００２４】
尚、本実施例においては、醤油粕と味噌とを混合して家畜用飼料を製造する工程を説明したが、キャベツなどの水分含有野菜を予め添加しても良く、混合する比率は適宜選択される。
【００２５】
以上、本発明による家畜用飼料及びその製造方法によれば、醤油製造時に発生する醤油粕と、製造後出荷され残留した味噌とを醤油粕に対する前記味噌の混合重量比は０．０１〜２００％で混合して形成したため、水分量を適度に調節することが可能となり、サラサラの状態の家畜用飼料が得られ、牛などの家畜用飼料として有効に使用できる。
【図１】
2011030518.tif 000003
(57)【要約】【課題】  従来の害虫捕獲は、人体・動物・食器・食物・植物にも有害である、もしくはすぐ確実に捕獲できないという問題があった。これは、薬剤を直接害虫に噴霧する方法や誘虫粘着剤入りの仕掛けを置き、待ち伏せして捕獲するためである。【解決手段】  害虫を捕獲する方法として、家庭用電気掃除機の先端に六角筒を装着した伸縮ネットを取り付け、掃除機の吸引力で害虫を捕獲する。この装置を取り付けることにより掃除機本体に何も損害を与えることなく利用できる。吸引した害虫は再び逃げ出してしまわないようにするため、ネットの上部に取り付けた紐を引き出口を塞ぐ。引いた紐は紐止め口に掛けることにより閉じた出口の緩みをなくし確実に捕獲できる。このように、本発明の害虫捕獲装置は、人体・動物・食器・食物・植物に害を与えることなく対象物となるゴキブリ等の害虫を捕獲することができるという、安全度の高い装置を提供できる。【選択図】図１
2011030553.tif 000002
【特許請求の範囲】
【請求項１】
家庭用電気掃除機の吸引力を利用し、そのパイプの先端に六角筒を装着した伸縮ネットを取り付け、ゴキブリ等の害虫を安全・確実に捕えられる害虫捕獲装置。
【請求項２】
伸縮ネットの先端に引き紐を取り付け、吸引後つまみの部分を持って簡単に紐を引き、さらに引いた紐を紐止め口に掛けることにより閉じた出口の緩みをなくし、ゴキブリ等の害虫が再び逃げ出すことなく、簡単・確実に捕えられる害虫捕獲装置。
【発明の詳細な説明】
【技術分野】
【０００１】  本発明は、一般家庭室内の害虫を安全・簡単・確実に捕獲するための装置に関する。
【背景技術】
【０００２】  従来の害虫捕獲は、薬剤を直接害虫に噴霧して殺虫するものがある（例えば、特許文献１参照。）。また、誘虫薬剤や粘着剤入りの仕掛けを置き待ち伏せして捕獲するものもある（例えば、特許文献２参照。）。
【先行技術文献】
【特許文献】
【０００３】
【特許文献１】  特開平１０−１３７６３１号公報（第４頁、図１）
【特許文献２】  特開平１１−００００９２号公報（第４頁、図１）
【発明の概要】
【発明が解決しようとする課題】
【０００４】  以上に述べた従来の方法は、殺虫剤の噴霧では人体・動物・食器・食物・植物にも有害であり、待ち伏せではすぐ確実に捕獲できなかった。【０００５】  本発明は、このような従来の問題を解決しようとするものであり人体・動物に安全で、食器・食物・植物にも無害である上に対象となる害虫を確実に捕獲し駆除することを目的とするものである。
【課題を解決するための手段】
【０００６】  そして本発明は、上記目的を達成するために電気掃除機の吸引力を利用し、そのパイプの先端に六角筒を装着した伸縮ネットを取り付け、ゴキブリ等の害虫を安全・確実に捕え捕獲するものである。【０００７】  また、第２の課題解決手段は、伸縮ネットの先端に引き紐を取り付け、吸引後つまみの部分を持って簡単に紐を引き、さらに引いた紐を紐止め口に掛けることにより閉じた出口の緩みをなくしゴキブリ等の害虫が再び逃げ出すことなく、簡単・確実に捕獲するものである。【０００８】  上記第１の課題解決手段による作用は次の通りである。すなわち電気掃除機の吸引力を利用するため、対象物となるゴキブリ等の害虫以外のものに薬剤の影響を与えることなく捕獲し、伸縮ネットを使用することで掃除機本体に何も損害を与えることなく利用でき、また六角筒を装着させることにより伸縮ネットそのものを掃除機内に吸い込むことを防ぐことができる。【０００９】  上記第２の課題解決手段による作用は、害虫がそのままの状態では再び逃げ出してしまうので、伸縮ネットの先端に引き紐を取り付け捕獲後つまみの部分を持ってこの紐を引き出口を塞ぎ、さらに引いた紐を紐止め口に掛けることにより閉じた出口の緩みをなくし、害虫にいっさい触れず確実に捕獲することができる。
【発明の効果】
【００１０】  上述したように本発明の害虫捕獲装置は、人体・動物・食器・食物・植物に害を与えることなく、対象物となるゴキブリ等の害虫を捕獲することができるという、安全度の高い装置を提供できる。【００１１】  また、伸縮ネットを通して吸引されるためゴキブリ等の害虫が掃除機内に入り込むことを防ぎ、さらに出口の紐を簡単に引き止めることで出口を塞ぎ、確実に捕獲できるという効果を発揮するものである。
【図面の簡単な説明】
【００１２】
【図１】  害虫捕獲装置の斜視図
【図２】  本発明の実施形態を示す正面図
【図３】  本発明の実施形態を示す平面図
【図４】  害虫捕獲装置の展開図
【発明を実施するための形態】
【００１３】  以下、本発明の実施形態を図１〜図４に基づいて説明する。
【００１４】  図１は、家庭用電気掃除機の先端を外したパイプの部分に、Ａの六角筒を被せるように装着させＢの伸縮ネットをパイプ内に入れ吸引し、害虫捕獲装置を装着準備する。
【００１５】  害虫捕獲装置を装着した家庭用電気掃除機で対象となるゴキブリ等害虫にパイプの先を近づけ吸引する。
【００１６】  害虫をＢの伸縮ネット内に吸引した後、再び逃げ出すことを防ぐために掃除機の吸引を止めずＥのつまみを持ってＤの紐止め口から外してＣの紐を引き、出口を閉じて再びＤの紐止め口に掛けて固定し、確実に捕獲してから掃除機のスイッチを切って吸引を止める。図２は捕獲後の正面図で図３はその上部から見た平面図である。
【００１７】  捕獲後は、Ａの六角筒部分を持ち電気掃除機のパイプから引き抜いて害虫捕獲装置ごとそのまま処分するか、薬剤入りの袋に包み殺虫処分する。殺虫したくない虫の場合は紐を緩めて室外へ逃がすこともできる。
【００１８】  図４は、害虫捕獲装置の展開図である。Ａの六角筒は強度と柔軟性をもったボール紙で作り、その上部にＢの伸縮ネットを袋状にして取り付ける。筒の形状を六角にするのは、コンパクトに収納するためである。筒の外側からネットを被せるように取り付けることで装着部が、よりしっかりと固定される。
【００１９】  また、ネットに伸縮性を持たせることにより吸引抵抗を少なくし電気掃除機への負担を軽減することができる。ネットの部分は長めにすることで不快な害虫に近づき触れることなく衛生的に処分できる。以上のように、本実施形態によれば害虫を安全・簡単・確実に捕獲するという効果が得られるものである。
【符号の説明】
【００２０】Ａ  六角筒
Ｂ  伸縮ネット
Ｃ  紐
Ｄ  紐止め口
Ｅ  つまみ
【図１】
2011030553.tif 000003
【図２】
2011030553.tif 000004
【図３】
2011030553.tif 000005
【図４】
2011030553.tif 000006
(57)【要約】【課題】本来、鶏の脂質にはコレステロール値を下げる不飽和脂肪酸が多く含まれ、また鶏本来の好ましい風味、コクを有するものであったが脂質には臭みが強く食用としては不適応であった。【解決手段】鶏の脂質を複数の香味野菜と共に煮沸し、臭みを抜きさらに上澄みの脂質だけを別鍋に移し火にかけわずかに残った水分も飛ばす。【選択図】図１
2011030552.tif 000002
【特許請求の範囲】
【請求項１】
鶏の脂質を、葱、生姜、にんにく等の香味野菜を加えて沸騰させた鍋に加え、脂が液体になるまで煮沸し臭みを抜き、さらにその脂だけを別鍋に移し火にかけ、わずかに残った水分をも飛ばしかすかな臭みも残さないことを特徴とする調味料である。
【請求項２】
臭みを抜いたこの脂質に０，５パーセントの食塩で味付けしたことを特徴とする請求項１記載の調味料である。
【発明の詳細な説明】
【技術分野】
【０００１】  この発明は、不飽和脂肪酸を多く含む鶏の脂質から生成する調味料に関する。
【背景技術】
【０００２】  鶏の脂質は主にメスの内臓を包むように存在する。不飽和脂肪酸を多く含み、血中のコレステロール値を下げる働きがある。
【発明の概要】
【発明が解決しようとする課題】
【０００３】  本来、鶏の脂質にはコレステロール値を下げる不飽和脂肪酸が多く含まれ、また鶏本来の好ましい風味、コクを有するものであるが脂質には臭みが強く食用としては不適応であった。
【課題を解決するための手段】
【０００４】  以上の課題を解決するために、第一発明は、鶏の脂質を、葱、生姜、にんにく等の香味野菜を加えて沸騰させた鍋に加え、脂が液体になるまで煮沸し臭みを抜き、さらにその脂だけを別鍋に移し火にかけ、わずかに残った水分をも飛ばしかすかな臭みも残さないことを特徴とする調味料である。
また、第二発明は、臭みを抜いたこの脂質に０，５パーセントの食塩で味付けしたことを特徴とする調味料である。
【発明の効果】
【０００５】  第一発明、または第二発明によれば、鶏の脂質は香味野菜の効果により臭みが抜ける。また、液体の脂をさらに煮詰めることでわずかな水分をも飛ばし、水分に含まれているかすかな臭みも抜くことが可能で、０，５パーセントの食塩で味付けをすることにより鶏本来の風味、コクが強調される。
【図面の簡単な説明】
【０００６】
【図１】鶏の脂質由来の調味料の生成法を示した説明図である。
【０００７】「実施形態の効果」
この実施形態によれば、香味野菜の働きで鶏の脂質からは臭みが抜けている。したがって鶏本来の好ましい風味、コクが脂質に残ることになり口当たりも良く多量の不飽和脂肪酸を摂取することも可能となる。さらにこの脂質に０，５パーセントの食塩を加えることで風味、コクが増し、調味料としての旨みが増す。
「他の実施形態」
図１の実施形態では、０，５パーセントの食塩で味付けをしたが、他の実施形態では、味付けは他の調味料での味付けでも良い。
【図１】
2011030552.tif 000003
(57)【要約】【課題】パラボナ型植物工場は、集雨装置を装備し、雨水は、植物に有用な効果をもたらすことを目的とする。【解決手段】その為、水道水から植物に優しい雨水に変更し、植物に有用なパラボナ装置を設置する。【選択図】なし【特許請求の範囲】
【請求項１】
植物工場の集雨装置をパラボラ型機材にしたことを特徴とする。
【請求項２】
パラボラ型機材は、補強材によって崩壊の防止を特徴とする。
【請求項３】
パラボラ型機材は、移設、移動を可能とする。
【発明の詳細な説明】
【技術分野】
【０００１】本発明は、植物工場における野菜、果樹など園芸作物に雨水活用から、パラボナ型機材の提供。
【背景技術】
【０００２】従来の畑作は、ハウス栽培、露地栽培に雨水の活用が弱い。
【発明の開示】
【発明が解決しようとする課題】
【０００３】植物の種類によっては、水道水の塩素で殺菌されている。本発明のパラボナ型で雨水を集め、活用とする。簡易で安価な装置を提供することを目的とする。
【課題を解決するための手段】
【０００４】本発明は、パラボナ型の機材で、植物工場の屋根、建物、ハウスの側面に設置し、上記目的を達成する。
【発明の効果】
【０００５】パラボナ型の機材は、効率的に雨水をためる機能を備えている。【０００６】パラボナ型の機材は、耐久補強材により、崩壊の防止ができる。【０００７】パラボナ型の機材は、移動を可能とする。【０００８】本発明の成形物は、家庭菜園から植物工場まで利用範囲が広い。
【発明を実施するための最良の形態】
【０００９】本発明の実施形態は効果的に活用できることを特徴とする。【００１０】植物工場にパラボナ型の機材は、簡易な集雨装置にしたことを特徴とする。【００１１】安全、安心なパラボナ構造にしたことを特徴とする。【００１２】パラボナ構造は、移設、移動の機能を特徴とする。【００１３】パラボナ構造は、立地条件、形状、強度、素材等実態の状況把握によって対応策を考慮したことを特徴とする。
【産業上の利用可能性】
【００１４】本発明のパラボナ機材は、常時使用でき、非常時においては収納機能が出来る。【００１５】集雨装置としての、パラボナ機材は、簡単な組立でしかも安価で安心、安全な機材を提供し、産業の育成に貢献できる。
(57)【要約】【課題】  この発明は、マンネリ化して斬新さに欠けたパン、饅頭、もち、ドーナツ、餃子等の包み込み食品、及びその具材の新たな開発に関するものである。【解決手段】  新しい食素材の組み合わせの開発、日本の伝統的な食材を諸外国の食材と合体させてその打開策とする。餡蜜にナタデココ、ひき肉にマヨネーズと味噌、七味唐辛子等はその代表的な解決手段である。【特許請求の範囲】
【請求項１】
チョコレートとピーナッツバターとアーモンドパウダーを適宜混合して製造したチョコレート、ピーナッツ、アーモンドクリーム。
【請求項２】
チョコレートとピーナッツバッターとゴマ味噌を適宜混合して製造したチョコレート、ピーナッツバター、ゴマ味噌クリーム。
【請求項３】
カスタードクリームとフルーツジュース、果肉を適宜混合して製造したフルーツジュース果肉入りカスタードクリーム。
【請求項４】
フルーツ蜜豆を具材にした饅頭、パン、もち、ドーナッツ、餃子等の包み込み食品
【請求項５】
フルーツ餡蜜を具材にした本発明請求項４の包み込み食品
【請求項６】
果物を砂糖とラム酒等の酒類で煮・焼き・揚げ調理した果物具材を包み込んで製造したことを特徴とする包み込み食品。
【請求項７】
カスタードクリームに本発明請求項６の包み込み具材を添加したこを特徴とする包み込み食品。
【請求項８】
本発明請求項１〜８にナタデココを加味したことを特徴とする包み込み具材。
【請求項９】
本発明請求項８を包み込んで製造した包み込み食品。
【請求項１０】
本発明請求項１〜３を包み込んで製造した包み込み食品
【請求項１１】
ひき肉、たまねぎ、味噌、マヨネーズ、ニンニク、七味唐辛子を好みに合わせて適宜配合して製造したことを特徴とする包み込み具材。
【請求項１２】
本発明請求項１１を包み込んで製造した包み込み食品。
【発明の詳細な説明】
【発明の詳細な説明】
【技術分野】
【０００１】  この発明は、パン、饅頭等の具材包み込み食品の新具材の提供及び当該新具材を利用した食品の提供に関するものである。
【背景技術】
【０００２】  従来のパン、饅頭等の包み込み具材はかなりの数に及ぶが、出尽くした感があり、実際どこのパン屋、饅頭屋を回っても皆同じような具材を使用しており、インパクトも新鮮さもないマンネリ化したものが多かった。
【発明が解決しようとする課題】
【０００３】  勿論、当該食品各メーカーは大小の別なく、日夜新製品の開発をしているに違いないが、そこにはプロと呼ばれる人たちの固定概念が又ネックとなって本当にユニークなものはなかなか出てこなかった。そこで発明者は当該分野には素人なため、又、若いときに世界中を歩き回った経験から和洋折衷のもの、ヨーロッパテーストのもの、アジアンテーストのもの等のユニークな具材を発想した。多くの人たちに試食してもらったところ、発明者の具材はユニークで包み込み食品によくマッチし、おいしいとの評価を得たため、その主なものを今回発明申請し、広く人々に提供することとした。
【課題を解決するための手段】
【０００４】  上記課題を解決するため、発明者は次の主たる革新手段をとった。
１．本発明請求項１、３、８等にあっては、素材の複合による新しい食味の世界を創造した。
２．本発明請求項２、１１、あっては、和洋折衷の新食味、触感を創造した。
３．本発明請求項４、５については、今までにないユニークなマッチングによるまったく新しい食文化の創造を達成した。
【発明の実施形態】
【０００５】  次に、本発明の実施の形態について上記［０００４］に沿った製造試食実験について説明する。
第１例
チョコレートを４５％、ピーナツバターを４５％、アーモンドパウダーを１０％混合して得られた今混合クリームはチョコレートの甘苦さ、ピーナツバターのまろやかな舌触りとアーモンドのコク等の独特の風味が調和してまったくあたらしい食味の世界を創造した。又、カスタードクリームにパインジュースを加え、果肉を加えてみたところカスタードクリームの甘味がパインの風味と混合して実に絶妙な味わいとなり、果肉のしゃきしゃき感とかんだ後の果汁の染み出しで舌に新たなアクセントをもたらした。特に複合食材として試しにナタデココを添加してみたところ、フルーツ餡蜜とのマッチングは絶妙であり、ナタデココの歯ごたえ、弾力性、その後の風味の広がりは通常の寒天製の添加食材ではまったく期待し得ない味、食感、複合風味を創造した。又、寒天は包み込むと形がすぐに崩れてしまい見た目も良くなく、又、パンの具材として焼くととろける傾向にあって不具合この上なかった。
【０００６】  第２例
本発明請求項２のチョコレート、ピーナツバター、ゴマ味噌の複合素材は、和洋折衷の最たるものだが、チョコレートとピーナツバターの甘味まろやかさ、とゴマ味噌のしょっぱさと風味がまったく新しいクリームの世界を創造してくれた。本発明の請求項１１にあっては、ひき肉とマヨネーズ、味噌、ニンニク、七味唐辛子の複合調味香辛料が肉の味を引き立て、しかもマヨネーズの酢の成分や味噌の酵素の働きで肉を柔らかくする働きがあることも本和洋折衷の複合の成果といえる。ハンバーグ状に加工して食してみたが実に美味であった。又餃子やパンの具として加工し食してみたところこれまたすこぶるた美味であった。
【０００７】  第３例
本発明請求項４のフルーツ蜜豆、請求項５のフルーツ餡蜜を具材としてパンに加工し、又其れを油で揚げて、揚げパンに加工し食してみたがどちらも始めえて味合う絶妙な食感であった。フルーツの入ったパン、揚げパン等は、あるにはあったが、所謂蜜豆の複合具材つまり、寒天、さくらんぼ、みかん、りんご、梨等が、また請求項５にあっては餡子が加味されたものはなかった。又、先にも記したように、本発明請求項８のナタデココをこれらに添加するとその食感、風味は格段上昇しこれを試食した人たちから絶賛された。
【発明の効果】
【０００８】  以上の例のごとく、まったく新しい複合素材による具材や、ゴマ味噌とチョコレートのコラボレーションのような和洋複合素材による食具材は新たな食文化の幕開けにつながる。又、加うるにマヨネーズと味噌の肉を柔らかくするなどの二次的効果も発生した。
このように、当発明の新食材、包み込み具材又、その製品は人々の食生活を豊かにするだけではなく、それらの製造販売を通じて、新た消費の拡大による経済効果、その帰結としての雇用の促進などの複合的な効果も大いに期待できる。